(57)【特許請求の範囲】
【請求項１】
缶本体１の上面に押下げ噴出ヘッド２を備え、かつ、その缶本体１の上部に上記押下げ噴出ヘッド２を覆うカバーキャップ３を着脱自在に嵌合させたエアゾール缶において、上記カバーキャップ３内に設けられ、かつ、該カバーキャップ３に反力をとってその押下げ噴出ヘッド２を押し下げる押圧中継部材４を、上記押下げ噴出ヘッド２に起倒自在に枢着させ、また、そのカバーキャップ３の下部内周面に内外に開通するガス逃がし通路５を設けたことを特徴とするエアゾール缶の廃棄用ガス抜き装置。
【請求項２】
上記押圧中継部材４の取付けにつき、その押圧中継部材４を弓状に形成し、上記押下げ噴出ヘッド２の上面後縁部にその弓状の押圧中継部材４に対応する凹段部６を形成して、該凹段部６にその弓状の押圧中継部材４を起倒自在に枢着して取付けることで、起立状態にて上記カバーキャップ３の頂壁７で押し下げる構造とし、また、上記ガス逃がし通路５につき、上記カバーキャップ３における上記缶本体１との嵌合部の内面に縦溝８を形成した請求項１記載のエアゾール缶の廃棄用ガス抜き装置。
【発明の詳細な説明】
【０００１】
【発明の属する技術分野】
本発明は、エアゾール缶の廃棄用ガス抜き装置に関する。
【０００２】
【従来の技術】
カバーキャップを有するエアゾール缶は、既によく知られているが、一般には頂壁の中央に押し下げで内容物を噴出する弁付きのステムを突設し、該ステムに押下げ噴出ヘッドを嵌着している。また、このエアゾール缶の缶本体は、上端部に胴の上端と頂壁の周縁とを重ねて巻き締めた環状接合部を有し、該環状接合部にその押下げ噴出ヘッドを覆うカバーキャップを着脱自在に嵌合させている。
【０００３】
【発明が解決しようとする課題】
ところで、この種のものでは、内部にガスが残留しているままで廃棄されると、事後の処理において、残留している内容物が不意に噴出したり、爆発したりする危険性がある。そのため、缶本体に孔を開けるように勧められているが、なかなか実行が困難である。また、缶本体の底にバルブを設けて、ガス抜きできるようにしたものがあるが、かなりのコスト高となる。
そこで、本発明は、廃棄に際して簡単にガス抜きできる簡易な装置を提供しようとするものである。
【０００４】
【課題を解決するための手段】
上記目的達成のため、第１の手段として、缶本体１の上面に押下げ噴出ヘッド２を備え、かつ、その缶本体１の上部に上記押下げ噴出ヘッド２を覆うカバーキャップ３を着脱自在に嵌合させたエアゾール缶において、上記押下げ噴出ヘッド２と上記カバーキャップ３との間に、該カバーキャップ３に反力をとってその押下げ噴出ヘッド２を押し下げる押圧中継部材４を係脱自在に装備させ、また、そのカバーキャップ３に内外に開通するガス逃がし通路５を設けたことを特徴とする。
【０００５】
第２の手段として、第１の手段を有するとともに、上記押圧中継部材４の係脱自在な装備につき、押圧中継部材４を押下げ噴出ヘッド２に起倒自在に枢着させ、また、カバーキャップ３の下部内周面に内外に開通するガス逃がし通路５を設けた。
【０００６】
第３の手段として、第１の手段を有するとともに、上記押圧中継部材４の係脱自在な装備につき、その押圧中継部材４を弓状に形成し、上記押下げヘッド噴出ヘッド２の上面後縁部にその弓状の押圧中継部材４に対応する凹段部６を形成して、該凹段部６にその弓状の押圧中継部材４を起倒自在に枢着して取り付けることで、起立状態にて上記カバーキャップ３の頂壁７で押し下げる構造とし、また、上記ガス逃がし通路５につき、上記カバーキャップ３における上記缶本体１との嵌合部の内面に縦溝８を形成した。
【０００７】
【発明の実施の形態】
図面は、本発明に係る実施の形態を示している。図において、１は、エアゾール缶の缶本体、２は、該缶本体の上面に装備させた押下げ噴出ヘッド、３は、その缶本体１の上部に着脱自在に嵌合させて上記押下げ噴出ヘッド２を覆ったカバーキャップである。４は、上記押下げ噴出ヘッド２と上記カバーキャップ３との間に係脱自在に装備させて、係合態勢にてそのカバーキャップ３に反力をとって押下げ噴出ヘッド２を押し下げる押圧中継部材である。５は、上記カバーキャップ３に内外に開通させて設けたガス逃がし通路５である。
【０００８】
缶本体１は、頂壁の中央に押し下げで内容物を噴出する弁付きのステムを突設し、該ステムに押下げ噴出ヘッド２を嵌着しており、また、上端部に胴９の上端と頂壁の周縁とを重ねて巻き締めた環状接合部10を有し、該環状接合部に押下げ噴出ヘッド２を覆うカバーキャップ３を下端部内周にて着脱自在に嵌合させ、更に、該カバーキャップ３の下端内縁には係合突条11を周設して、該係合突条をその環状接合部10の下縁に係脱自在に係合させている。
【０００９】
押圧中継部材４は、弓状に形成し、押下げ噴出ヘッド２の上面後縁部にその弓状の押圧中継部材４に対応する凹段部６を形成して、該凹段部６にその弓状の押圧中継部材４を起倒自在に両端にて枢着12して装備させており、そして、起立態勢にてカバーキャップ３の頂壁７で押し下げ得るようにしている。その枢着に代えて肉薄ヒンジで連結してもよい。この場合噴出ヘッド２と押圧中継部材14とは合成樹脂材で一体成形することとなる。
また、押下げ噴出ヘッド２の後面には、上記凹段部６に通じる窪み13を形成しており、該窪みにより凹段部６上に倒伏した押圧中継部材４に指を掛け易くかつ引き起こし易くしている。14は、押下げ噴出ヘッド２の前面のノズルである。
【００１０】
ガス逃がし通路５は、カバーキャップ３における下端部内周の嵌合部分乃至上記係合突条11に、通しの縦溝８を設けることで形成している。
【００１１】
如上の構成であり、エアゾール缶としての普段の使用には、押圧中継部材４を凹段部６上に倒伏させた状態にしておき（図１、図２）、廃棄の際には、その押圧中継部材４を起立させた状態にしてカバーキャップ３を嵌合させる（図３）。これにより、該カバーキャップ３の頂壁７でその押圧中継部材４が押圧されて押下げ噴出ヘッド２が強制的に押し下げられる（同図）。その結果、エアゾール缶に残留するガスが、押下げ噴出ヘッド２からカバーキャップ３内に放出され、ガス逃がし通路５たる縦溝８を通って外部へと流出する。
【００１３】
【発明の効果】
本発明によれば、既述構成であるから、廃棄の際に、押圧中継部材４だけの極めて簡単な操作で、内部に残留しているガスを的確に放出させることができ、廃棄物としての事後の処理において、残留している内容物が不意に噴出したり、爆発したりする危険を回避できる。また、押圧中継部材４を装備させるだけの簡易な装置で足り、安価に提供できる。加えて、請求項２の発明によれば、廃棄の際に、押圧中継部材４を起こすだけでよく、便利である。また、ガス逃がし通路５が外面に表出せず、美感を損なわない。
【図面の簡単な説明】
【図１】  請求項１乃至請求項３の発明に係る実施の形態を示す截断側面図である。
【図２】  同実施の形態における押下げ噴出ヘッド及び押圧中継部材の平面図である。
【図３】  同実施の形態における廃棄の際の截断側面図である。
【符号の説明】
１…缶本体                      ２…押下げ噴出ヘッド
３…カバーキャップ              ４…押圧中継部材
５…ガス逃がし通路              ６…凹段部
７…頂壁                        ８…縦溝
９…胴                          10…環状接合部
11…係合突条                    12…枢着
13…窪み                        14…ノズル
【図１】
0003892606.tif 000002
【図２】
0003892606.tif 000003
【図３】
0003892606.tif 000004